(57)【要約】【課題】  より効果的にスピーカードライバーの背面からスピーカーボックスの内部に放出される音を消音させる必要がある。【解決手段】  スピーカードライバーが取り付けられるスピーカーボックスと、スピーカーボックスに設けられ、スピーカードライバーの振動板によって生じる音圧をスピーカーボックス外部に放出する開口部と、振動板の裏側に配置され、振動板から離れる方向と直交する方向の断面積が狭い縮径部と、縮径部と開口部との間に設けられ、振動板から離れる方向と直交する方向の断面積が大きい膨張部とを備える。【選択図】        図５
2010153952.tif 000002
【特許請求の範囲】
【請求項１】
スピーカードライバーが取り付けられるスピーカーボックスと、
該スピーカーボックスに設けられ、前記スピーカードライバーの振動板によって生じる音圧を前記スピーカーボックス外部に放出する開口部と、
前記振動板の裏側に配置され、該振動板から離れる方向と直交する方向の断面積が狭い縮径部と、
前記縮径部と開口部との間に設けられ、前記振動板から離れる方向と直交する方向の断面積が大きい膨張部とを備えたことを特徴とするスピーカー。
【請求項２】
前記縮径部と膨張部とをそれぞれ複数個設けると共に、前記膨張部を前記スピーカードライバーの振動軸と直交する方向に配置したことを特徴とする請求項１に記載のスピーカー。
【発明の詳細な説明】
【技術分野】
【０００１】
本発明は、スピーカーボックスにスピーカードライバーが取り付けられたスピーカーに関する。
【背景技術】
【０００２】
スピーカーボックスの形式は、密閉型、バスレフ型、パッシブラジエター型などの方式が知られている。なかでも例えば特許文献１に示される、スピーカードライバーの正面だけからの音圧を使用する密閉型のスピーカーボックスは、他のどの方式と比較して、一般的に低音の瞬間的なレスポンスや位相特性に優れる。
【特許文献１】特開平５−１２２７８２号公報
【発明の開示】
【発明が解決しようとする課題】
【０００３】
しかしながら、密閉型スピーカーボックスの場合、スピーカードライバーの振動板が入力信号によって振動すると、スピーカーボックス内部の容積変化によって振動板に正又は負の圧力が生じるため、入力信号に忠実な応答ができないという欠点がある。この点を解消できるのが所謂無限バッフル方式であるが、非常に大きなバッフル板を用意する必要があり、一般的な家庭内に設置するのはスペースの点で困難である。
【課題を解決するための手段】
【０００４】
本発明は上述の課題を解決するために、スピーカードライバーが取り付けられるスピーカーボックスと、スピーカーボックスに設けられ、振動板によって生じる音圧を前記スピーカーボックス外部に放出する開口部と、振動板の裏側に配置され、振動板から離れる方向と直交する方向の断面積が狭い縮径部と、縮径部と開口部との間に設けられ、振動板から離れる方向と直交する方向の断面積が大きい膨張部とを備える。
【発明の効果】
【０００５】
本発明によれば、スピーカードライバーの振動板に圧力をかけることがない無限バッフルと同じ効果を得つつ、小型で高音質のスピーカーを実現可能である。
【発明を実施するための最良の形態】
【０００６】
以下、本発明による最良の実施形態を、添付図面を参照しながら説明する。
【実施例１】
【０００７】
以下、本発明の実施例を説明する。図１、図２はそれぞれ本発明装置の正面図及び背面図、図３は図１におけるＡ−Ａ線断面図である。スピーカー１のスピーカーボックス２にはスピーカードライバー３が図示しないネジで取り付けられている。スピーカーボックス２の背面にはスピーカーボックス２を閉塞すべくリアパネル４が設けられている。
【０００８】
スピーカードライバー２とリアパネル４を取り外した状態の正面図と背面図である図４と図５、及びその斜視図である図６を用いてスピーカーボックス２の構造を説明する。スピーカードライバー３はスピーカーボックス２のドライバー収納部５の内部に収納される。このドライバー収納部５の側面には切欠き６が設けられており、スピーカードライバー３の振動板７の背面からの音圧がドライバー収納部５から外部に流出する。なお、図３において振動板７の振動軸を矢印Ｂ−Ｂとして示す。
【０００９】
切欠き６からドライバー収納部５の外に出た音圧は、第1の膨張部１１に流入し、引き続きスリット１５を介して第２の膨張部１２に流入する。更にスリット１６、第３の膨張部１３、スリット１７、第４の膨張部１４の順に音圧が伝搬された後、リアパネル４に設けられた開口部１８からスピーカーボックス２の外に放出される。
【００１０】
図７はスピーカードライバー３の振動板７の裏側からの音圧は最終的に開口部１８から放出されるまでのスピーカーボックス２の内部構造を示す模式図である。スピーカードライバー３の背面からの音圧はドライバー収納部５に設けられた切欠き６を通過後、断面積の大きな第１の膨張部１１に流入することにより、圧力が低下する。スピーカードライバー３からの音圧は更にスリット１５を通過後に第２の膨張部１２に流入することにより、再度圧力が低下する。
【００１１】
この断面積の狭い切欠き６、スリット１５〜１７及び開口部１８からなる縮径部を通過後に容積の大きい膨張部１１〜１３及びスピーカーボックス２外に音圧が通過することで、合計５回に亘って音圧が低下する。これにより、スピーカードライバー３の振動板から発せられる圧力波が減少され、スピーカードライバー３を無限バッフルに取り付けたのと同じ状況をつくり出すことが出来る。
【００１２】
なお、上述の切欠き６及びスリット１５〜１７はバスレフ型スピーカーにおける位相反転用のポートとしての機能は有しておらず、振動板７からの圧力波を収縮し、続く膨張部１１〜１４によって膨張させるためのものである。この原理は自動車のマフラーに使用されているサイレンサーと基本的には同じ原理を応用している。
【００１３】
また、上述の実施例においては膨張部１１〜１４はスピーカードライバー３の振動軸Ｂ−Ｂ線と直行する方向に配置されているため、膨張部１１〜１４を設けてもスピーカー１の厚さはスピーカードライバー３の奥行き方向の寸法で決定される。従って、膨張部１１〜１４を設けることによってスピーカー１の厚みが大きくなることはない。
【００１４】
なお、開口部１８から中高音の音が漏れる場合は、必要に応じ、膨張部１１〜１４に柔らかい素材の吸音材を若干入れても良い。
【００１５】
また、スピーカードライバー３の背面からの音は一旦縮径部を通過してから膨張部に放出されるが、この膨張空間の形状は任意の形状を取り得る。もちろん、切欠き６及びスリット１５〜１７はその断面積を小さくすることが目的であるので、これも任意の形状を取り得る。
【００１６】
また、上述の実施例においては膨張部１１〜１４を４個所設けていたが、本発明はこれに限定されることなく、スピーカードライバーの種類によっては１個所のみ設けることも可能であるなど、本発明は上述の実施例に限定されることなく、種々の態様を取り得る。
【００１７】
以上のごとく、スピーカーボックス２内に圧力を減少させるためのスリット６もしくは切欠き１５〜１７と膨張部１１〜１４を設けることにより、スピーカードライバー３からスピーカーボックス２内に放出される音の圧力を効果的に減少させ、スピーカードライバー３の振動板７に加わる圧力を減少させ、入力信号に忠実な透明度の高い再生音を得ることが可能となる。
【図面の簡単な説明】
【００１８】
【図１】スピーカー１の正面図。
【図２】スピーカー１の背面図。
【図３】図1におけるＡ−Ａ線断面図。
【図４】スピーカードライバー２とリアパネル４を取り外した状態のスピーカーボックス２の正面図。
【図５】スピーカードライバー２とリアパネル４を取り外した状態のスピーカーボックス２の背面図。
【図６】スピーカードライバー２とリアパネル４を取り外した状態のスピーカーボックス２の斜視図。
【図７】スピーカーボックス２の内部構造を示す模式図。
【符号の説明】
【００１９】
１  スピーカー
２  スピーカーボックス
３  スピーカードライバー
４  リアパネル
６  切欠き
７  振動板
１１〜１４  膨張部
１５〜１７  スリット
１８  開口部
【図１】
2010153952.tif 000003
【図２】
2010153952.tif 000004
【図３】
2010153952.tif 000005
【図４】
2010153952.tif 000006
【図５】
2010153952.tif 000007
【図６】
2010153952.tif 000008
【図７】
2010153952.tif 000009